(57)【特許請求の範囲】
【請求項１】
多数の植毛を植え付け固定してなる植毛台と、該植毛台と一体固定されてなる手握部を有する歯ブラシにおいて、
前記植毛台の植毛を植え付け固定する植毛面が中空半円球体の窪み円弧面であり、
前記多数の植毛の長さは均一に揃えられ、且つ、前記植毛の根元は前記内周面に対してそれぞれ直角方向に固定され、前記多数の植毛の中間部で束になるように交わっており、更に、前記多数の植毛の先端部が前記中空半円球体の内周面と対称の山型円弧状形体であることを特徴とする歯ブラシ。
【請求項２】
前記窪み円弧部が、前記中空半球体の内周面の一部又は全部と同型であることを特徴とする請求項１に記載の歯ブラシ。
【請求項３】
前記山型円弧状形体が、前記中空半球体の外表面の一部又は全部と同型であることを特徴とする請求項１又は２に記載の歯ブラシ。
【発明の詳細な説明】
【技術分野】
【０００１】
この発明は、歯の表面の凹凸や歯間或いは歯と歯肉との間に付着した食べかすや歯垢や歯列矯正の装置に対して効率的に磨いて汚れを落とすことが出来る歯ブラシに関する。
【背景技術】
【０００２】
従来の歯ブラシは、板状のブラシ台に垂直方向に立ち上がるように固定されたブラシであって先端部分が平らな形状のものが一般的である。このような一般的な歯ブラシにおいては、ブラシの先端部分が垂直に当接する部分でしか洗浄できない。そこで、板状の植毛台に垂直方向に立ち上がるものの各ブラシの長さを変えて先端部分に凹凸を設けたり先端部の一部が傾斜した歯ブラシが提案されている（例えば、特許文献１）。
【先行技術文献】
【特許文献】
【０００３】
【特許文献１】特表２００４−５２８０５４
【発明の概要】
【発明が解決しようとする課題】
【０００４】
しかしながら、上記の従来の技術の歯ブラシを含め一般的に図８に示すように、平坦な植毛台２１から垂直方向に延びるように全ての植毛４１が固定されている歯ブラシ１１の場合には、図９に示すように、多くの毛先５１が歯Ａの上面の凹凸表面ａに直角方向に当たるので、毛先５１に加わる力が分散されてしまい十分に磨かれないという問題点がある。又、図１０に示すように、歯Ａと歯肉Ｂの間を磨く場合にも毛先５１が歯Ａの側面や歯肉Ｂにも当たって磨く力が分散されて十分に磨ききれないという問題点がある。更に又、図１１に示すように、歯並びＣに沿って歯Ａの内側や外側を太矢符Ｘ方向にブラッシングする場合には、一部の植毛４１は歯Ａ間に入るものの多くの植毛４１は屈曲して歯Ａ間に入るので毛先５１に加わる力が分散されて均等に加わらなかったり磨き残りが生じたりする問題点がある。
【課題を解決するための手段】
【０００５】
この発明の歯ブラシは上記事情に鑑みてなされたものであって、その手段とするところは、多数の植毛を植え付け固定してなる植毛台と、該植毛台と一体固定されてなる手握部を有する歯ブラシにおいて、前記植毛台の植毛を植え付け固定する植毛面が中空半円球体の窪み円弧面であり、前記多数の植毛の長さは均一に揃えられ、且つ、前記植毛の根元は前記内周面に対してそれぞれ直角方向に固定され、前記多数の植毛の中間部で束になるように交わっており、更に、前記多数の植毛の先端部が前記中空半円球体の内周面と逆の山型円弧状形体であることにある。又、前記窪み円弧部が、中空半球体の内周面の一部又は全部と同型であることにある。更に又、前記山型円弧状形体が、半球体の外表面の一部又は全部と同型であることにある。
【発明の効果】
【０００６】
上記発明によると、前記植毛台の植毛を植え付け固定する植毛面が窪み円弧面であり、且つ、前記多数の植毛の中間部が交差し当該多数の植毛の先端部が山型円弧状形体であることから、植毛台を口腔内入れて磨く際には、山型円弧状形体の先端部が歯に接触してブラッシングすることになるので、全方向から先端部分が直角に歯に当たり、効率よく磨くことが出来る。又、小さな力で磨くことが出来る。従って、隅々まで効率よく磨くことが出来る。多数の植毛の中間部分が交差しているので、力が作用した時でも相互に補完し合って折れ曲がることがない。
【０００７】
前記窪み円弧部が中空半球体の内周面の一部又は全部と同型である場合には、一点で多数の植毛の中間部が束となって捩じれ交わることになり相互に補完し合って折れ曲がり難くい。又、同じ長さの植毛を使用した場合には先端部には窪み円弧部とは逆形状の山型円弧形状体が形成されるので、製作及び成形加工が簡単である。しかも、ブッシング時においても、歯に直角方向からの力が作用し易いので、きれいに磨くことが出来る。
【０００８】
前記山型円弧状形体が、半球体の外表面と同型であれば、少ない動作でしかも前記したように効率よくきれいに磨くことが出来る。
【図面の簡単な説明】
【０００９】
【図１】この発明の歯ブラシの実施態様の断面説明図
【図２】植毛の植毛台への植込み固定の断面説明図
【図３】実施形態の歯ブラシの全体斜視図
【図４】歯の側面と歯肉の隙間をブラッシングしている説明図
【図５】歯の上面をブラッシングしている説明図
【図６】歯の側面と歯肉の隙間をブラッシングしている一部断面説明図
【図７】歯並びの内側と外側をブラッシングしている一部断面説明図
【図８】従来の歯ブラシの側面図
【図９】従来の歯ブラシで歯の上面をブラッシングしている説明図
【図１０】従来の歯ブラシで歯と歯肉の間をブラッシングしている説明図
【図１１】従来の歯ブラシで歯並びの内側と外側をブラッシングしている説明図
【発明を実施するための形態】
【００１０】
この発明の歯ブラシの実施形態について以下図に基づいて説明する。図１〜３に示すように、歯ブラシ１は、円弧状の植毛台２の植毛面３にこの植毛面３に垂直方向に多数植え付け固定した植毛４の先端部５を円弧状になるように揃えてなるものである。前記歯ブラシ１は、植毛台２に長細い手握部６が固定されており、この手握部６を握って植毛台２を口腔内に入れて植毛４の先端部５で歯を磨くものである。
【００１１】
前記植毛台２は、一面側は円弧状の窪み円弧部７を有しており他面側は口腔内で移動自在なように滑らかな表面形を有する立体形状であり、一端側に手握部６が固定されている。窪み円弧部７は、お椀型、すり鉢型、半球状型などのように凹部が形成されているもので、この窪み円弧部７の植毛面３には多数の植毛４が固定され全体としてブラシ８を形成している。
【００１２】
前記植毛４は合成樹脂等からなる細長な線状部材でその根元は窪み円弧部７の植毛面３に適度な隙間を開けて固定されている。この固定は、図２に示すように、窪み円弧部７の植毛面３からこの植毛面３に対して垂直方向に固定されたものであれば、接着によるものでも一体成型されたものであってもよい。図２に示す実施形態は、植毛面３に対して垂直に掘られた固定穴９に植毛４の根元部が挿入されて接着剤等で固定されたものである。窪み円弧部７の植毛面３は円弧状であるのでこの植毛面３に垂直とは固定穴９の中心を通る接線方向に対して垂直という意味である。このように固定された植毛４の中間部から先端部５は窪み円弧部７の植毛面３の表面形状によって変化するが、各植毛４の中間部で接しながら束になって捩じるようにして交わり、その先端部５の集合体が形成する磨き表面１０は窪み円弧部７の植毛面３とは逆の山形円弧部を形成している。この逆の山型円弧部の形状は植毛面３の形状や植毛４の長さあるいはカッターによるカッティングの仕方によって種々変化する。
【００１３】
窪み円弧部７がボール状球体の中空円球状体をその中心を通る面で切断した半円球状体内周面であって、植毛４の長さが同一に揃えられている場合には、図１に示されるように、円球状体の中心に当たる開口円の中心に各植毛４の中央部が捩じれて接しながら束となって集まり、それら植毛４の先端部５の磨き表面１０は、図３、図４によく表れているように、逆半球状体となる。これらの先端部５は、窪み円弧部７の植毛面３からその植毛面３に対して垂直方向に延びているので、その先端部５には強い力が作用し、しかも放射状になっているので磨き表面１０に当たった歯Ａの表面ａや歯間（図５参照）あるいは歯Ａと歯肉Ｂの間（図４、図６参照）にも入り込んで、少ない移動で小さい力で当たっても万遍なく磨くことができる。
【００１４】
以上の実施形態においては、窪み円弧部７の植毛台２が中空半円球状体の内周面である場合について説明したが、窪みの深さがもっと浅い面すなわち中空球状体の中心を通らない面で切断した窪み円弧部７としてもよい。この場合は、各植毛４の中間部分は窪み円弧部７の外側で束となって捩じれて交わり、先端部５によって形成される磨き表面１０は逆半円球状体よりも小さい径のものとなり、植毛台２自体が小さくなり、したがって歯ブラシ１全体も小型のものとなる。
【００１５】
なお、植毛４は窪み円弧部７の植毛面３に対して垂直方向に植え付け又は固定されていなく、窪み円弧部７の形状に合わせて所定の角度を有していてもよい。先端部５の磨き表面１０が山型円弧部になるようにカッターでカットして揃えるようにしてもよい。
【００１６】
上記した構成からなるこの発明の歯ブラシ１を用いて歯Ａをブラシすると、植毛３の先端の集合体は半円球体になっているので、手握部４を掴んで歯Ａを磨く際に、歯方向へ力をかけて植毛台２を歯並びＣに沿って移動させると磨き表面１０の半球状の先端が、歯Ａのトップ面ａの凹凸のある表面に種々の方向から当たり磨かれ、食べ物カスを除去する。又、歯Ａと歯Ａの間に入った際にも同様に種々の方向からブラッシングできる。同様に、歯Ａの間に入った食べかすや歯垢も少ない移動ブラッシングで磨き落とすことが出来る。
【産業上の利用可能性】
【００１７】
歯ブラシの多様化を図ることができ、歯ブラシ業界の活性化を図ることができる。
【符号の説明】
【００１８】
１    歯ブラシ
２    植毛台
３    植毛面
４    植毛
５    先端部
６    手握部
７    窪み円弧部
８    ブラシ
９    固定穴
１０  磨き表面
【要約】      （修正有）【課題】歯の表面の凹凸や歯間或いは歯と歯肉との間に付着した食べかすや歯垢や歯列矯正の装置に対して効率的に磨いて汚れを落とすことが出来る歯ブラシを提供する。【解決手段】多数の植毛４を植え付け固定してなる植毛台２と、該植毛台２と一体固定されてなる手握部６を有する歯ブラシ１において、前記植毛台２の植毛４を植え付け固定する植毛面３が窪み円弧面７であり、且つ、前記多数の植毛４の中間部が交差し、当該多数の植毛４の先端部５が山型円弧状形体である。【選択図】図１【図１】
0006915925.tif 000002
【図２】
0006915925.tif 000003
【図３】
0006915925.tif 000004
【図４】
0006915925.tif 000005
【図５】
0006915925.tif 000006
【図６】
0006915925.tif 000007
【図７】
0006915925.tif 000008
【図８】
0006915925.tif 000009
【図９】
0006915925.tif 000010
【図１０】
0006915925.tif 000011
【図１１】
0006915925.tif 000012